(57)【特許請求の範囲】
【請求項１】
長手方向に一定の間隔で切断線が入れられたキッチンペーパーが巻回された巻回体を収容する、一面が開口された直方体形状の箱本体であって、前記開口された面に対向する面に配置された底板と、前記底板の一辺に立設された前板と、前記前板に対向する面に配置された後板とを有する箱本体と；
前記後板の前記開口された一面と交わる辺である連接辺に回動可能に連接され、前記開口された一面を塞ぐように構成された蓋板と、前記連接辺に対向する前記蓋板の辺である折曲辺に連接された掩蓋片とを有する蓋体とを備え；
前記開口された一面に隣接した部分の前記前板に前記キッチンペーパーを前記箱本体から取り出す切欠部が形成され、前記切欠部が前記底板の一辺に平行な平行辺を有し；
前記前板が、前記底板と連接した一辺の側に前記切欠部に隣接して形成されたガイド片であって、前記平行辺の両端から前記底板と連接した一辺の側にそれぞれ切り込みが形成されることにより、前記箱本体に収容された前記キッチンペーパーが引き出されたときに前記箱本体の外側に向かって一時的に変形して曲がり、前記蓋体を閉めたときに前記掩蓋片との間に前記キッチンペーパーが挟まれて前記箱本体の内側に変形するガイド片を有する；
キッチンペーパー収容体。
【請求項２】
前記ガイド片の、前記底板と連接した一辺の側に、前記平行辺に平行に形成された切込線であって、前記平行辺の両端から前記底板と連接した一辺の側に形成された切り込みの端部同士を結ぶ切込線が形成された；
請求項１に記載のキッチンペーパー収容体。
【発明の詳細な説明】
【技術分野】
【０００１】
本発明は、キッチンペーパーが巻回された巻回体を収容するキッチンペーパー収容体に関する。
【背景技術】
【０００２】
料理の水切り、油切り、食品を保存する際の包装などに用いられるキッチンペーパー（キッチンタオル、クッキングペーパーと呼ばれる場合もある）は、ロール状に巻かれキッチンペーパー収容体に収容されて（特許文献１参照（段落０００１、他））販売される。キッチンペーパーには、切断を容易とする目的のため長手方向に一定の間隔Ｌ（図２参照）でミシン目が入れられている。
キッチンペーパーを使用する場合は、キッチンペーパーの先端を手でつかんで収容体から一定の間隔Ｌに相当する長さだけ引き出す。このときキッチンペーパーのロールは収容体内で回転し、キッチンペーパーの一部がロールから引き出される。そして、先端より一定の間隔Ｌを越えたロールに近いキッチンペーパーの部分を手で押さえ、すなわち先端から最初のミシン目を越えたロールに近い部分を手で押さえ、ミシン目で切断するよう、キッチンペーパーの先端を引っ張り、ロールから分離させ、シートとして使用する。
【先行技術文献】
【特許文献】
【０００３】
【特許文献１】特許第２８３１２８６号公報
【発明の概要】
【発明が解決しようとする課題】
【０００４】
本発明は、使い勝手が向上するキッチンペーパー収容体を提供することを目的とする。
【課題を解決するための手段】
【０００５】
上記目的を達成するため、本発明の第１の態様に係るキッチンペーパー収容体は、例えば図１及び図２に示すように、長手方向に一定の間隔Ｌで切断線２Ａが入れられたキッチンペーパー２が巻回された巻回体１を収容する、一面が開口された直方体形状の箱本体１２であって、開口された面に対向する面に配置された底板１４と、底板１４の一辺１４Ａに立設された前板１６と、前板１６に対向する面に配置された後板１８とを有する箱本体１２と；後板１８の開口された一面と交わる辺である連接辺６０に回動可能に連接され、前記開口された一面を塞ぐように構成された蓋板３０と、連接辺６０に対向する蓋板３０の辺である折曲辺６２に連接された掩蓋片３２とを有する蓋体２９とを備え；開口された一面に隣接した部分の前板１６にキッチンペーパー２を箱本体１２から取り出す切欠部２１が形成され、切欠部２１が底板１４の一辺に平行な平行辺２２を有し；前板１６が、底板１４と連接した一辺の側に切欠部２１に隣接して形成されたガイド片２４であって、平行辺２２の両端から底板１４と連接した一辺の側にそれぞれ切り込み２４Ｃが形成されることにより、箱本体１２に収容されたキッチンペーパー２が引き出されたときに箱本体１２の外側に向かって一時的に変形して曲がり、蓋体２９を閉めたときに掩蓋片３２との間にキッチンペーパー２が挟まれて箱本体１２の内側に変形するガイド片２４を有する。
【０００６】
このように構成すると、キッチンペーパー引出時の抵抗力を小さくすることが可能となり、使い勝手が向上する。
【０００７】
また、本発明の第２の態様に係るキッチンペーパー収容体は、例えば図１及び図４（並びに図１５及び図１６）に示すように、上記本発明の第１の態様に係るキッチンペーパー収容体１００（２００）において、ガイド片２４（２２４）の、底板１４と連接した一辺の側に、平行辺２２（２２２）に平行に形成された切込線２４Ａ（２２４Ａ）であって、平行辺２２（２２２）の両端から底板１４と連接した一辺の側に形成された切り込み２４Ｃ（２２４Ｃ）の端部同士を結ぶ切込線２４Ａ（２２４Ａ）が形成されている。
【０００８】
このように構成すると、ガイド片を容易に一時的に変形させることができる。
【０００９】
ここで、キッチンペーパーとは、調理室にて使用されるものに限られず、洗面所、トイレ、寝室等で使用されるもの、さらに各種工場でウエスの代わりに用いたり、人が生活する場所に備えられ、清掃等に用いる等、多様な用途に利用可能なものを含む概念とする。
【発明の効果】
【００１０】
本発明によれば、キッチンペーパー引出時の抵抗力を小さくすることが可能となり、使い勝手が向上する。
【図面の簡単な説明】
【００１１】
【図１】第１の実施の形態のキッチンペーパー収容体の斜視図である。
【図２】図１のキッチンペーパー収容体に収容されるキッチンペーパーの巻回体の斜視図である。
【図３】図１のキッチンペーパー収容体の側面断面図である。
【図４】図１のキッチンペーパー収容体の組み立て前の展開図である。
【図５】部分的に組み立てられた図１のキッチンペーパー収容体の部分斜視図である。
【図６】図１のキッチンペーパー収容体の部分斜視図である。
【図７】図１のキッチンペーパー収容体の部分正面断面図である。
【図８】図１のキッチンペーパー収容体の部分正面断面図である。
【図９】図１のキッチンペーパー収容体の部分正面断面図である。
【図１０】図５の展開図を組み立てたキッチンペーパー収容体の斜視図である。
【図１１】蓋体を開け、キッチンペーパーを取り出した場合の、図１のキッチンペーパー収容体の斜視図である。
【図１２】キッチンペーパーを取り出し、蓋体を閉めた場合の、図１のキッチンペーパー収容体の斜視図である。
【図１３】キッチンペーパーを取り出し、蓋体を閉め、キッチンペーパーを引き出した場合の、図１のキッチンペーパー収容体の斜視図である。
【図１４】キッチンペーパーを取り出し、蓋体を閉め、キッチンペーパーを引き出した場合の、図１のキッチンペーパー収容体の斜視図である。
【図１５】第２の実施の形態のキッチンペーパー収容体の斜視図である。
【図１６】図１５のキッチンペーパー収容体の組み立て前の展開図である。
【発明を実施するための形態】
【００１２】
以下、図面を参照して、本発明の実施の形態について説明する。なお、各図において、互いに同一又は相当する装置には同一符号を付し、重複した説明は省略する。
【００１３】
図１、および図２を参照して、本発明の第１の実施の形態のキッチンペーパー収容体１００（以下、適宜、収容体１００とする）を説明する。図１は、収容体１００の斜視図であり、図２はキッチンペーパー２が巻回された巻回体１の斜視図である。
【００１４】
キッチンペーパーは、主に、家庭の台所で布巾の代替として使用されるものであり、食器の清拭、食材の水分の除去、調理用具の清掃等に用いられるものであり、構成材料としては主にパルプからなるものである。キッチンペーパーは、一般的な短繊維のパルプを抄紙（湿式抄紙）して製造され、固着剤に澱粉等を使用し、抄紙後のパルプ繊維が巻取り方向に揃いやすく、横方向（図２中、幅方向に対応）引き裂き強度が弱いという性質を有する。また、キッチンペーパーは、長繊維のパルプを空気流に浮遊させ、降り積もったところに、酢酸ビニル系粘着剤を散布し、シート化することによっても製造される。このように製造されたキッチンペーパーは、パルプ繊維の方向がランダムであり、引き裂き強度の方向性が少なく、水漏れ時強度の低下が少ないという性質を有する。
【００１５】
キッチンペーパー２は、厚さが０．５〜１ｍｍ、坪量（単位面積当たりの重量）４０〜６０ｇ／ｍ２、吸水量が２００〜６００ｇ／ｍ２、吸油量が１００〜６００ｇ／ｍ２、吸水度が２０〜７０ｍｍ（毛管現象で水の吸い上げた高さを測定）である。吸水性ならびに触った場合の感触改善のため、キッチンペーパー２の表面はエンボス加工されている。
【００１６】
収容体１００は、図１中、ｙ方向に細長い略直方体形状であり、キッチンペーパー２（以下、キッチンペーパー２は適宜、ペーパー２とする）の巻回体１を収容している。図１中、収容体１００内の巻回体１を二点鎖線で示している。長尺に形成されたペーパー２は、円筒形に巻回され巻回体１を構成している。収容体１００の長手方向（ｙ方向）の中心軸線（不図示）と、収容された巻回体１の中心軸線（不図示）とは、ペーパー２の使用前の段階ではほぼ一致している。ペーパー２は、一定の長さＬごとに、ペーパー２の横幅方向に切断線としての切込線２Ａが入れられている。長さＬは、ペーパー２の使用勝手がよいように適宜決められる。ペーパー２は、収容体１００からペーパー２の縦長方向（横幅方向に直角）（ペーパー２の長手方向）に引き出され、切込線２ＡにおいてＬの長さで切断されて、分離され、それぞれの用途に供される。収容体１００は、図１中、水平（水平方向は図１ではｘ、ｙ方向）に置かれているとして以下説明する。切込線とは、一定の間隔で切り込みが入れられた線をいい、通常、切断または折り曲げに用いられ、ミシン目を含むものである。
【００１７】
収容体１００は、箱本体１２と、箱本体１２に回動可能に接続された蓋板３０と、蓋板３０に接続された掩蓋片３２とを備える。箱本体１２は、蓋板３０で覆われる直方体の一面が、開口している。箱本体１２は、底になる面、すなわち開口された面と相対する面に配置された底板１４と、図１中、手前に来る面に配置された前板１６と、前板１６と相対する面に配置された後板１８と、前板１６と後板１８とを接続する、側面に配置された脇板２０とを有する。すなわち、前板１６は底板１４の一辺１４Ａに立設され、後板１８は底板１４の一辺１４Ａに対向する他の一辺１４Ｂに立設されている。蓋板３０は、ｙ方向に長い長方形をしており長方形の中心部から後板１８側の角に向って走る、大きく開くＶ字型の押罫３１（図４に破線で表示）が形成されている。よって、蓋板３０は、押罫３１により、蓋板３０に対して垂直に押す力に対して強度が増加している。
【００１８】
箱本体１２の長手方向（ｙ方向）の長さは、巻回体１の軸方向の長さより僅かに長く、幅方向ｘおよび高さ方向ｚ（図１中、鉛直方向）の長さは、巻回体１の外径より僅かに長い。そのために、箱本体１２中に巻回体１を中に収容することができる。なお、ペーパー２を使用するにつれ、ペーパー２は巻回体１から引き出され、巻回体１の外径は徐々に小さくなり、幅方向ｘおよび高さ方向ｚでは隙間が徐々に大きくなる。なお、ｘ、ｙ、ｚは互いに直角方向である。
【００１９】
前板１６には、図１中、上部に、切り欠かれた切欠部２１が形成され、ペーパー２を切欠部２１を通って箱本体１２の外部に取り出すことができる。切欠部２１は、底板１４の一辺１４Ａに平行な平行辺２２と、平行辺２２に対し所定の角度αをなす一つの傾斜辺２３とを有する。平行辺２２の、箱本体１２の長手方向の長さは、ペーパー２の横幅Ｗより短く形成されている。したがって、切欠部２１を通って箱本体１２から取り出されるペーパー２は、片側が傾斜辺２３にぶつかり傾斜辺２３により横幅方向に絞られるので、ペーパー２の引き出し力に対し抵抗力が発生する。また、傾斜辺２３は傾斜しているので、ペーパー２に引き出し力を作用させると、傾斜辺２３は絞り機構として作用するため、ペーパー２は、図１中、傾斜辺２３に沿って下方にずり落ち、横幅方向にさらに絞られ、抵抗力がさらに増加し、ペーパー２の動きが制限されすべりが阻止されることにより、切込線２Ａにペーパー２を切断するための力により応力が集中し、ペーパー２を切込線２Ａで切断することができる。傾斜辺の角度α（水平方向とのなす角度）は、３０度から６０度とするとよく、好ましくは４０度から５０度とするとよい。３０度から６０度とすると、確実に引き出し力に対する抵抗力を発生させることができる。また、４０度から５０度とすると、より確実に引き出し力に対する抵抗力を発生させることができる。平行辺２２は、収容体１００を水平に配置した場合、ペーパー２を水平面に対して略平行に取り出せるような構成のものであればよい。
【００２０】
前板１６は、切欠部２１の下方に配置されたガイド片２４を有する。ガイド片２４の上側の辺が切欠部２１を構成する平行辺２２である。ガイド片は図中ｙ方向に細長く形成され、ガイド片２４の下部には平行辺２２に平行に切込線２４Ａ（図１に不図示、図４参照）が入れられている。例えば、ペーパー２の使用開始時に、ペーパー２の巻回体１に粘着テープ（不図示）の引出端（不図示）が固定されていることが通例であるが、ガイド片２４を箱本体１２の外側に向かって一時的に変形させて曲げることで、ペーパー２の当該引出端を固定している粘着テープを剥がすことが容易となる。さらに、使用時にペーパー２を引き出すにあたっても、ガイド片２４が箱本体１２の外側に向かって一時的に変形して曲がることにより、ペーパー２引出時の抵抗力を小さくすることが可能となり、使い勝手が向上する効果を有している。前述のようにガイド片２４の下部には平行辺２２に平行に切込線２４Ａ（図４）が入れられているので容易に一時的に変形する。ガイド片２４の縁は、角部を有さず、緩やかに曲がる曲線で構成されている。したがって、切欠部２１を通って取り出されるペーパー２がガイド片２４に引っかかって取り出しにくくなったり、ペーパー２がガイド片２４に接触しても、ガイド片２４によって傷つけられることがない。なお、ガイド片２４が上述のように変形可能であれば、ガイド片２４の下部の切込線２４Ａは、なくてもよい。
【００２１】
箱本体１２の後板１８は、図１中、最上部に、連接辺としての蝶番辺６０を有し、蝶番辺６０に蓋板３０が回動可能に連接する。蓋板３０は、蓋板３０を閉めて水平に配置したときに、箱本体１２の開口された面を覆うよう、開口された面とほぼ同じ大きさの、あるいは僅かに大きな面に形成されている。蓋板３０は、蝶番辺６０と相対する、他の一辺としての折曲辺６２（連接辺に対向する他の一辺）を有し、折曲辺６２に蓋前板としての掩蓋片３２が連接し、掩蓋片３２が折曲辺６２に立設される。また、蓋板３０は、蝶番辺６０と折曲辺６２とをつなぐ残りの２辺である、脇辺６８を有する。脇辺６８には側蓋片３４が連接される。蓋板３０と、掩蓋片３２と、側蓋片３４は、一体として蝶番辺６０を中心に回動するので、これらを適宜、蓋体２９と総称して説明する。
【００２２】
なお、図３に示すように、収容体１００は、ペーパー２を箱本体１２から取り出して、蓋体２９を閉めた場合、掩蓋片３２と前板１６との間にペーパー２の厚さｔ以上の隙間が生じるように形成されている。掩蓋片３２と貼付片２５とは、一枚の一体片２７（図４）であったものであり、貼付片２５が前板１６に接着され、前板１６は一枚の紙から形成されているので、前板１６と掩蓋片３２との間には、通常は隙間は形成されない。しかし、ペーパー２を箱本体１２から取り出して、蓋体２９を閉めた場合、掩蓋片３２と前板１６との間にペーパー２が挟まれ、掩蓋片３２は箱本体１２の外側に変形し、前板１６の上部、特にガイド片２４の部分は、箱本体１２の内側に変形するので、掩蓋片３２と前板１６との間にペーパー２の厚さｔ以上の隙間が生じる。よって、箱本体１２から切欠部２１（図１）を通って取り出されたペーパー２は、この隙間を通って収容体１００の外に出ることが可能である。
【００２３】
図１、図２に戻って説明する。掩蓋片３２は先端、すなわち折曲辺６２と相対する先端辺６４を有する。掩蓋片３２の形状は、ｙ方向に長い長方形である。掩蓋片３２の先端辺６４に対向する辺の近くに、大人の親指の幅にほぼ等しい長さの長手方向（ｙ方向）に延びた３本の押罫線３３（図１に破線で表示）が形成されている。前板１６の下部に、前板１６に重ねて、波形に形成された一辺２５Ａを有する貼付片２５が貼り付けられている。貼付片２５の一辺２５Ａは、底板１４の一辺１４Ａに、ほぼ一致するまで近接し、沿うように配置されている。なお、掩蓋片３２と貼付片２５は、後述のように、切取片２６を介して一体に形成されていたものである。波形とは、ここでは、好ましくは一定の周期で、図中、ｚ方向に変動するものをいい、例えば、サインカーブ、半円、１／４円の組み合わせが該当する（円は楕円を含むものとする）。
【００２４】
ここで、図４を参照して、図１に示す収容体１００の組み立てにつき、説明する。図は、収容体１００の組み立て前の展開図である。図中、折り線は一点鎖線で表している。収容体１００の素材は、典型的にはコートボール紙であり、その厚さは、０．１〜１ｍｍ、好ましくは０．２〜０．７ｍｍ、さらに好ましくは０．３〜０．５ｍｍである。図の展開図に示すように打ち抜かれ、折り線を付けられたブランクを用い、折り曲げ接着して組み立てる。なお、ある片とある片との接着は互いに接触する面の全体に亘って、接着されるのではなく、接着の強度が十分な部分的範囲で行われて、使用後の収容体１００の解体が容易に行われるよう配慮されている。
【００２５】
以下収容体１００のブランクの構成の詳細を説明する。当該ブランクは、図中、左右に実質的に線対称である（前板１６、後述の切込線２６Ａ、２６Ｂを除く）。
前板１６、底板１４、後板１８、蓋板３０、および掩蓋片３２／切取片２６／貼付片２５からなる一体片２７が、それぞれ折り線８１、８２、８３、８４を挟んで順次この順序で連接され、一列に配されている。一体片２７の、掩蓋片３２と切取片２６の境目、切取片２６と貼付片２５との境目にはそれぞれ切込線２６Ａ、２６Ｂが入れられている。
【００２６】
前板１６の両脇には折り線８５を挟んで接着片４２が連接し、底板１４の両脇には折り線８６を挟んで脇板２０が連接し、後板１８の両脇には折り線８７を挟んで接着片４４が連接している。また、蓋板３０の両脇には折り線８８を挟んで側蓋片３４が連接し、掩蓋片３２の両脇には折り線８９を挟んで接合片３６が連接している。なお、図中の折り線８１〜８９は、いずれも山折となる。
【００２７】
図に示すブランクから、収容体１００を組み立てるには、各折り線８１〜８９をほぼ直角に折り曲げ、重なる脇板２０、接着片４２、４４を、脇板２０を最外部にして重ねて接着する（図５参照）。
脇板２０、接着片４２および接着片４４を接着することにより、底板１４の４辺に前板１６、後板１８および２枚の脇板２０が立設した細長い直方体形状の箱本体１２が形成される。また、重なる側蓋片３４と接合片３６とを、側蓋片３４を外側にして重ねて接着する。側蓋片３４と接合片３６とを接着することにより、蓋板３０と一体片２７とが垂直に連接された形状が安定する。すなわち、それぞれの片３０、２７、３４が垂直に保たれる。
【００２８】
その後、一体片２７の貼付片２５の部分を前板１６に接着する。このとき、貼付片２５の一辺２５Ａ（図１）が底板の一辺１４Ａ（図１）に、ほぼ一致するまで近接し、沿うようにする。脇板２０、接着片４２、４４と、側蓋片３４、接合片３６とを接着しないので、一体片２７より切取片２６を切り取った後は、蓋板３０と掩蓋片３２とは、箱本体１２に対して、蝶番辺６０を回転中心として回動できる（図６参照）。
【００２９】
図１に戻り、収容体１００のさらなる構成について説明する。図中、脇板２０の上部辺２０Ａにはフラップ片４６が連接され、フラップ片４６の脇板に連接される辺には切込線４６Ｂ（図４）が切り込まれ、フラップ片４６は、切込線４６Ｂで箱本体１２の外側下方向に向けて折り曲げられている（図６参照）。また、側蓋片３４の内側には接合片３６が接着されている（図５参照）。
【００３０】
次に、図１、図７〜図９を参照して収容体１００の蓋体２９を開閉するときの動作を説明する。図７〜図９は、収容体１００の側蓋片３４、接着片４４、４６、および脇板２０を含んだ部分の部分正面断面図である。従来、キッチンペーパーを収容している収容体は、蓋が完全に閉まらず開放された状態のものもあり、開放部より異物等が混入しやすく、衛生上の問題も生じていた。そこで、本実施の形態では、使用後の保存時に異物等の混入を防止し衛生的な状態でキッチンペーパーを保管可能なキッチンペーパー収容体を提供する。
【００３１】
蓋体２９を同方向に回動させると、接合片３６がフラップ片４６を箱本体１２の内側の方向に押す。脇板２０は、フラップ片４６が連接されている上部辺２０Ａの近くでは接着片４２および接着片４４と接着されておらず、接着片４２および接着片４４より上方に単独で突き出る構成である。したがって、脇板２０は、この突き出た突出部２８で、接合片３６によりフラップ片４６を介して作用する力により、箱本体１２の内側方向に曲がる。よって、蓋体２９を同方向にさらに回動させることができる。
【００３２】
蓋体２９がほぼ完全に閉まる位置（図８参照）に来ると、接合片３６はフラップ片４６の下方に位置し、接合片３６がフラップ片４６を押す力は作用しなくなり、脇板２０は鉛直方向真っ直ぐの形状に戻る。このとき、接合片３６の上部辺３６Ａがフラップ片４６の下部辺４６Ａのすぐ下方に位置するよう接合片３６とフラップ片４６とが係合し、スナップ音が発生する。なお、接合片３６の上部辺３６Ａとは、接合片３６の、蓋体２９が閉まった状態のときに、上部にくる辺をいう。また、フラップ片４６の下部辺４６Ａは、フラップ片４６の脇板２０と連接している辺（上部辺２０Ａ）に対向する辺である。
【００３３】
次に、蓋体２９を開ける場合（図９中、蓋体２９を矢印方向に回動）、接合片３６の上部辺３６Ａがフラップ片４６の下部辺４６Ａを押し、フラップ片４６が変形し、前述の脇板２０の突出部２８が箱本体１２の内側に向かって曲がるので、この変形および曲がりを起こさせるのに必要な力を蓋体２９に作用させる必要がある。よって、接合片３６とフラップ片４６は、蓋体２９の閉状態を維持するストッパとして作用する。したがって、収容体１００を放置した状態で、蓋体２９が自然に浮き上がって、開状態になることはなく、ごみ等の異物の箱本体１２への混入を防ぎ、ペーパー２の汚れを回避し、ペーパー２を衛生的な状態で保管することができる。
【００３４】
以下、収容体１００の使用法について説明する。
図１０に示すように、収容体１００は、掩蓋片３２／切取片２６／貼付片２５が一体片２７（図４参照）として連接され、一体片２７は前板１６に貼付片２５の部分が接着され、蓋体２９は閉の状態で市販されている。使用に際し、まず、切取片２６を切込線２６Ａ、２６Ｂで切断して切り取る。これで、掩蓋片３２と貼付片２５が分離され、蓋体２９を開くことが可能になり、蓋体２９を開くと図１に示す収容体１００となる。
なお、図１に示すように、ペーパー２の巻回体１は、一般的には収容体１００内に収容されている状態で市販されている。
【００３５】
図１１に示すように、蓋体２９を開いた後、ペーパー２（図中、一部省略）の先端３を、例えば手（不図示）でつまんで引いて、箱本体１２の開口された面から箱本体１２の外部に所定の長さだけ引き出す。
【００３６】
図１２に示すように、ペーパー２（図中、一部省略）が引き出される前述の所定の長さは、ペーパー２の切断しようとする切込線２Ａが、蓋体２９を閉め、ペーパー２を前板１６に沿う位置に置いた場合に、掩蓋片３２の先端辺６４の下方であって、底板１４の一辺１４Ａの上方に位置するような長さである。
【００３７】
図１３に示すように（図中、蓋板３０、掩蓋片３２、側蓋片３４の一部を省略）、ペーパー２を前板１６に沿う方向（図中、矢印方向）に引くと、平行辺２２の図中ｙ方向の長さがペーパー２の横幅Ｗより短く形成されているので、ペーパー２の傾斜辺２３側の端４が傾斜辺２３に接触し、さらにペーパー２が傾斜辺２３に沿って、図中、下方にずり落ち、ペーパー２は横幅方向にさらに絞られ、ペーパー２を前板１６に沿う方向に引く力に対して抵抗力が傾斜辺２３に発生する。この抵抗力によりペーパー２の動きが制限され、この引く力と発生した抵抗力により、切込線２Ａで応力が集中し切込線２Ａを切断する力となり、ペーパー２が切込線２Ａで切断される。よって、ペーパー２を簡単に切断し、分離することができる。
【００３８】
例えば、収容体１００を左手（不図示）で持ち、中指、薬指、小指（不図示）を後板１８に添え、人差し指（不図示）を蓋板３０に添え、親指（不図示）を掩蓋片３２の３本の押罫線３３（図１３に破線で表示）の所に添えた場合、取り出したペーパー２は、前板１６と掩蓋片３２との間に挟まれるので、親指が掩蓋片３２を押す力によって、ペーパー２を引く力に対する抵抗力を発生させることができる。この場合、親指が掩蓋片３２を押す力によってのみ上記抵抗力を発生させるためには、かなり強い力で掩蓋片３２を押さなければならない。しかし、傾斜辺２３を設けたことにより、掩蓋片３２に軽く親指を添えるだけで、ペーパー２を切断できる抵抗力を発生させることができる。
【００３９】
また、図１４に示すように、切取片２６を切り取り、蓋体２９を開いた後、ペーパー２を、箱本体１２の開口された面から箱本体１２の外部に取り出すとき、蓋体２９を閉め、ペーパー２を前板１６に沿う位置に置いた場合に、ペーパー２の切断しようとする切込線２Ａが、掩蓋片３２の先端辺６４の下方に位置するだけでなく、さらに底板１４の一辺１４Ａの下方に位置するようにしてもよい。
【００４０】
図中、前板１６に沿う方向（図中、矢印の方向）に引いた場合のぺーパー２を一点鎖線で、その切込線２Ａを二点鎖線で示す。さらに、底板１４の一辺１４Ａで、底板に近づく方向に曲げた場合のぺーパー２およびその切込線２Ａを破線（一部の見える箇所は実線）で示す。
このように、ペーパー２を底板１４の一辺１４Ａの箇所で、底板１４に近づく方向に曲げて引くと、ペーパー２は前板１６と貼付片２５に接触し、貼付片２５の一辺２５Ａは、底板１４の一辺１４Ａに、ほぼ一致するまで近接し、沿うように配置されているので、ペーパー２が貼付片２５の波形に形成された一辺２５Ａの波形の頂部に接触し、この頂部によってペーパー２の動きが制限されてすべりが阻止され、ペーパー２を引く力に対する抵抗力が発生する。前述の傾斜辺２３による抵抗力と、この貼付片２５により発生した抵抗力とによりペーパー２の動きが制限されてすべりが阻止され、引く力と発生した抵抗力により、切込線２Ａで応力が集中し、切込線２Ａを切断する力となり、より簡単にペーパー２を切断し、分離することができる。
【００４１】
なお、図示していないが、貼付片２５は、その一辺２５Ａが、底板１４の一辺１４Ａに、ほぼ一致するまで近接して、沿うように底板１４に貼り付けられ、前述のように、ペーパー２を底板１４に近づく方向に曲げて引いた場合、ペーパー２が貼付片２５の波形に形成された一辺２５Ａの波形の頂部に接触し、この頂部によってペーパー２の動きが制限されてすべりが阻止され、ペーパー２を引く力に対する抵抗力が発生するようにしてもよい。この場合も、前述の傾斜辺２３による抵抗力と貼付片２５による抵抗力によって、同様にペーパー２を切込線２Ａで切断することができる。
【００４２】
図１５、および図１６を参照して、本発明の第２の実施の形態のキッチンペーパー収容体２００（以下、適宜、収容体２００とする。）を説明する。図１５は、収容体２００の斜視図であり、図１６は、収容体２００の組み立て前の展開図である。
本実施の形態の収容体２００は、前述の収容体１００（図１、図４）とは、箱本体２１２の前板２１６の構造の点で相違し、その他の構造は同じである。収容体２００は、収容体１００と同じペーパー２の巻回体１（図２）を収容する。
【００４３】
前板２１６には、上部に切り欠かれた切欠部２２１が形成されており、ペーパー２（図２）は切欠部２２１を通って箱本体２１２の外部に取り出すことができる。切欠部２２１は、底板１４の一辺１４Ａに平行な平行辺２２２を有する。しかし、切欠部２２１には、傾斜辺は形成されていない。したがって、平行辺２２２の箱本体２１２の長手方向ｙ（図１５）の長さは、ペーパー２の横幅Ｗとほぼ同じ長さで形成されている。よって、切欠部２２１を通って箱本体２１２から取り出されるペーパー２は、横幅方向に絞られることはなく、ペーパー２の引き出し力に対し抵抗力は実質上発生しない。なお、切欠部２２１が傾斜辺を有しないので、前板２１６のガイド片２２４と、ガイド片２２４の下部の切込線２２４Ａの形状は、第１の実施の形態と相違する。なお、本実施の形態でも、ガイド片２２４の縁は、角部を有さず、緩やかに曲がる曲線で構成されている。
【００４４】
本実施の形態の収容体２００の使用法は次のようになる。すなわち、切取片２６を切り取り、蓋体２９を開いた後、ペーパー２を、箱本体２１２の開口された面から箱本体２１２の外部に取り出すとき、ペーパー２の切断しようとする切込線２Ａが、蓋体２９を閉め、ペーパー２を前板２１６に沿う位置に置いた場合に、掩蓋片３２の先端辺６４の下方に位置し、さらに底板１４の一辺１４Ａの下方に位置するようにする（図１４参照）。
【００４５】
この場合、ペーパー２を底板１４の一辺１４Ａで曲げて、底板１４に近づく方向に引くと、ペーパー２は前板２１６と貼付片２５に接触し、さらにペーパー２は貼付片２５の波形に形成された一辺２５Ａの波形の頂部に接触し、この頂部によってペーパー２の動きが制限されてすべりが阻止され、ペーパー２を引く力に対する抵抗力が発生する。この抵抗力により、簡単にペーパー２を切断し、分離することができる。なお、図示していないが、本実施の形態の場合も、第１の実施の形態で説明したと同様に、貼付片２５を底板１４に貼付してもよい。
【００４６】
なお、以下に参考態様について付言する。第１の参考態様に係るキッチンペーパー収容体として、例えば図１および図２に示すように、長手方向に一定の間隔Ｌで切断線２Ａが入れられたキッチンペーパー２が巻回された巻回体１を収容する、一面が開口された箱本体１２であって、底板１４と、底板１４の一辺１４Ａに立設された前板１６と、一辺１４Ａに対向する他の一辺１４Ｂに立設された後板１８とを有する箱本体１２と；連接辺６０を有し、連接辺６０において後板１８に回動可能に連接され、前記開口された一面を塞ぐよう構成された蓋板３０と；蓋板３０の連接辺６０に対向する他の一辺６２に立設され、蓋板３０が前記一面を塞いだ状態のとき、前板１６に重なるように配置された蓋前板３２とを備え；前板１６にキッチンペーパー２を箱本体１２から取り出す切欠部２１が形成され、切欠部２１が底板１４の一辺に平行な平行辺２２と、平行辺２２に対し所定の角度αをなす傾斜辺２３とを有し；平行辺２２がキッチンペーパー２の横幅Ｗより短く形成されることとしてもよい。ここで、切断線とは、押罫により形成された線、断続的に切込みが入れられた線を含み、切断が容易に行われるように加工がされた線をいう。ここで平行とは、略平行を含み、また誤差程度の傾きがある場合をも含む。
【００４７】
このように構成すると、前板が前述のような切欠部を有し、切欠部の平行辺がキッチンペーパーの横幅より短く形成されているので、キッチンペーパーを切欠部を通り箱本体から取り出し、次に箱本体の開口した一面が蓋板により塞がれた状態にし、キッチンペーパーを前板に沿って引いたときに、キッチンペーパーの長手方向の少なくとも一辺が傾斜辺に接触し、この接触により抵抗力が発生する。この抵抗力によりキッチンペーパーの動きが制限されるために、キッチンペーパーの切断線が入れられた箇所に、キッチンペーパーを切断するための力により応力が集中することで、キッチンペーパーを当該切断線で簡単に切断し、分離することができる。
【００４８】
傾斜辺は直線であってもよく、曲線であってもよい。傾斜辺が曲線の場合、所定の角度とは、曲線上の各点での角度をいい、一定ではなく変化する。
【００４９】
また、第２の参考態様に係るキッチンペーパー収容体として、例えば図１、図４に示すように、第１の参考態様に係るキッチンペーパー収容体１００において、蓋板３０に押罫３１が形成され、蓋板３０を押す力に対する蓋板３０の強度を増すように形成されてもよい。
【００５０】
このように構成すると、蓋板に押罫が形成されているので、蓋板を押す力に対する蓋板の強度を増すことができる。
【００５１】
また、第３の参考態様に係るキッチンペーパー収容体として、例えば図１に示すように、第１の参考態様または第２の参考態様としてのキッチンペーパー収容体１００において、波形に形成された一辺２５Ａを有し、該波形に形成された一辺２５Ａが底板１４の一辺１４Ａに沿うように前板１６または底板１４に貼り付けられた貼付片２５を備えてもよい。
【００５２】
このように構成すると、切欠部から前板に沿って取り出されたキッチンペーパーを、前板に接触させ、さらに底板に近づくように曲げて、キッチンペーパーに引く力を作用させると、キッチンペーパーが貼付片の波形の頂部に接触する。この頂部への接触によってキッチンペーパーの動きが制限され、前記引く力に対する抵抗力が発生し、キッチンペーパーを、波形の頂部に接触した箇所と引く力を作用させた箇所との間における切断線で切断することができる。
【００５３】
また、第４の参考態様に係るキッチンペーパー収容体として、例えば図１に示すように、第３の参考態様としてのキッチンペーパー収容体１００において、切欠部２１から前板１６と蓋前板３２との間の隙間を通り前板１６に沿って取り出され、貼付片２５の波形の頂部に接触したキッチンペーパー２が、前記頂部によってキッチンペーパーの動きが制限されるよう構成されてもよい。
【００５４】
また、第５の参考態様に係るキッチンペーパー収容体２００として、例えば図１５、図２に示すように、長手方向に一定の間隔Ｌで切断線２Ａが入れられたキッチンペーパー２が巻回された巻回体１を収容する、一面が開口された箱本体２１２であって、底板１４と、底板１４の一辺１４Ａに立設された前板２１６と、一辺１４Ａに対向する他の一辺１４Ｂに立設された後板１８とを有する箱本体２１２と；連接辺６０を有し、連接辺６０において後板１８に回動可能に連接され、前記開口された一面を塞ぐよう構成された蓋板３０と；蓋板３０の連接辺６０に対向する他の一辺６２に立設され、蓋板３０が前記一面を塞いだ状態のとき、前板２１６に重なるように配置された蓋前板３２と；波形に形成された一辺２５Ａを有し、該波形に形成された一辺２５Ａが底板１４の一辺１４Ａに沿うように前板２１６または底板１４に貼り付けられた貼付片２５を備え；キッチンペーパー２を箱本体２１２から取り出す切欠部２２１が前板２１６に形成され；切欠部２２１から前板２１６と蓋前板３２との間の隙間を通ってキッチンペーパー２を取り出し、前板２１６に沿って引いたときに、貼付片２５の波形の頂部にキッチンペーパー２が接触するように構成されていてもよい。
【００５５】
このように構成すると、前述のような貼付片を備え、切欠部から前述の隙間を通ってキッチンペーパーを取り出し、前板に沿って引いたときに、貼付片の波形の頂部にキッチンペーパーが接触するように構成されているので、キッチンペーパーと貼付片の波形の頂部との接触により抵抗力が発生する。この抵抗力によりキッチンペーパーの動きが制限されることで、貼付片の波形の頂部と、該頂部に接触するキッチンペーパーの箇所とを越えて引き出された切断線に、キッチンペーパーを切断するための力により応力が集中し、キッチンペーパーを当該切断線で簡単に切断し、分離することができる。
【符号の説明】
【００５６】
１  巻回体
２  キッチンペーパー
２Ａ  切込線（切断線）
３  先端
４  端
１２、２１２  箱本体
１４  底板
１４Ａ、１４Ｂ  一辺
１６、２１６  前板
１８  後板
２０  脇板
２０Ａ  上部辺
２１、２２１  切欠部
２２、２２２  平行辺
２３  傾斜辺
２４、２２４  ガイド片
２４Ａ、２２４Ａ  切込線
２４Ｃ、２２４Ｃ  切り込み
２５  貼付片
２５Ａ  一辺
２６  切取片
２６Ａ、２６Ｂ  切込線
２７  一体片
２８  突出部
２９  蓋体
３０  蓋板
３１  押罫
３２  掩蓋片（蓋前板）
３３  押罫線
３４  側蓋片
３６  接合片
３６Ａ  上部辺
４２、４４  接着片
４６  フラップ辺
４６Ａ  下部辺
４６Ｂ  切込線
６０  蝶番辺（連接辺）
６２  折曲辺（一辺）
６４  先端辺
６８  脇辺
８１〜８９  折り線
１００、２００  キッチンペーパー収容体
【図１】
0005380582.tif 000002
【図２】
0005380582.tif 000003
【図３】
0005380582.tif 000004
【図４】
0005380582.tif 000005
【図５】
0005380582.tif 000006
【図６】
0005380582.tif 000007
【図７】
0005380582.tif 000008
【図８】
0005380582.tif 000009
【図９】
0005380582.tif 000010
【図１０】
0005380582.tif 000011
【図１１】
0005380582.tif 000012
【図１２】
0005380582.tif 000013
【図１３】
0005380582.tif 000014
【図１４】
0005380582.tif 000015
【図１５】
0005380582.tif 000016
【図１６】
0005380582.tif 000017